(57)【要約】【課題】リストバンドのバンド部のみを交換可能とし、個人情報を保存したＲＦＩＤタグ６部分を再利用可能とし、再発行のコストを抑えることができる構成が単純なリストバンド用ＲＦＩＤシートおよびＲＦＩＤリストバンドを提供すること。【解決手段】ＲＦＩＤタグ６を有するバンド本体３部分にバンド用スリット１１を形成すること、バンド用スリット１１にリストバンドとしてのバンド部を着脱可能に挿通することに着目したもので、帯状のシート基材２と、もろい部分４Ａを残した切込み４を介してこのシート基材２に形成するとともに個人情報を保存可能なＲＦＩＤタグ６を有するバンド本体３と、を有し、バンド本体３には、リストバンドのバンド部を挿通するためのバンド用スリット１１を形成してあることを特徴とする。【選択図】図１
2008176745.tif 000002
【特許請求の範囲】
【請求項１】
人体の四肢の少なくともいずれかひとつに巻き付けるとともに、その人体の個人情報を保持可能なリストバンドを構成するためのリストバンド用ＲＦＩＤシートであって、
帯状のシート基材と、
もろい部分を残した切込みを介してこのシート基材に形成するとともに、前記個人情報を保存可能なＲＦＩＤタグを有するバンド本体と、
を有し、
前記バンド本体には、前記リストバンドのバンド部を挿通するためのバンド用スリットを形成してあることを特徴とするリストバンド用ＲＦＩＤシート。
【請求項２】
前記バンド本体の表面に前記個人情報を印字可能としたことを特徴とする請求項１記載のリストバンド用ＲＦＩＤシート。
【請求項３】
前記バンド本体は、
前記ＲＦＩＤタグを有する第１の基材と、
この第１の基材に積層するとともに前記個人情報を印字可能な第２の基材と、を有することを特徴とする請求項１記載のリストバンド用ＲＦＩＤシート。
【請求項４】
人体の四肢の少なくともいずれかひとつに巻き付けるとともに、その人体の個人情報を保持可能なＲＦＩＤリストバンドであって、
前記個人情報を保存可能なＲＦＩＤタグを有するとともに、もろい部分を残した切込みを介して帯状のシート基材に形成したバンド本体と、
このバンド本体に形成したバンド用スリットに挿通可能なバンド部と、
を有し、
前記ＲＦＩＤタグを再利用可能とすることを特徴とするＲＦＩＤリストバンド。
【発明の詳細な説明】
【技術分野】
【０００１】
本発明はリストバンド用ＲＦＩＤシートおよびＲＦＩＤリストバンドにかかるもので、とくに病院や遊園地などで患者や入園者の四肢たとえば手首あるいは足首に環状にゆるく巻き付けて個人情報を表示ないし保持するために用いられるリストバンド用ＲＦＩＤシートおよびＲＦＩＤリストバンドに関するものである。
【背景技術】
【０００２】
従来から、病院などにおいて患者の診療科、氏名、年齢、血液型などその個人固有の識別データをリストバンドに印字して表示した上で、患者の四肢たとえば手首あるいは足首に環状にゆるく巻き付けて、患者の特定を確実にすることが行われている。
【０００３】
さらに、上記個人情報を電子化して、非接触でデータの書込みおよび読取りが可能なＲＦＩＤタグ（Ｒａｄｉｏ  Ｆｒｅｑｕｅｎｃｙ  Ｉｄｅｎｔｉｆｉｃａｔｉｏｎ技術によるタグ）をリストバンドに用いることも行われている。
このようなＲＦＩＤタグ付きのリストバンドは、リストバンド自体としてＲＦＩＤタグが一体化されているため、より大量のデータを保存可能である反面、患者の外泊時や、手術、検査などで、この取り外しが必要な場合には、これを切断して取り外すしか方法がなく、再度のＲＦＩＤタグ発行が必要になるという問題がある。
とくにＲＦＩＤタグ付きのリストバンドは、プリンターなどにより印字して個人情報を表示する通常のＲＦＩＤタグに比較してコストが高く、上記再発行によるコストアップの問題もある。
また、リストバンド自体の構成としては、より単純でその生産工程を簡略化可能なものが要請されているという問題がある。
【０００４】
【特許文献１】特開２００４−２４２９０４号公報
【発明の開示】
【発明が解決しようとする課題】
【０００５】
本発明は以上のような諸問題にかんがみなされたもので、ＲＦＩＤタグ部分の再利用を可能としたリストバンド用ＲＦＩＤシートおよびＲＦＩＤリストバンドを提供することを課題とする。
【０００６】
また本発明は、リストバンドのバンド部のみを交換可能とし、個人情報を保存したＲＦＩＤタグ部分を再利用可能としたリストバンド用ＲＦＩＤシートおよびＲＦＩＤリストバンドを提供することを課題とする。
【０００７】
また本発明は、個人情報を電子化データとして保持可能であるとともに、当該個人情報を目視可能な文字あるいはバーコードなどにより印字して表示することもできるリストバンド用ＲＦＩＤシートおよびＲＦＩＤリストバンドを提供することを課題とする。
【０００８】
また本発明は、再発行のコストを抑えることができるリストバンド用ＲＦＩＤシートおよびＲＦＩＤリストバンドを提供することを課題とする。
【０００９】
また本発明は、その構成がより単純でその生産工程を簡略化可能なリストバンド用ＲＦＩＤシートおよびＲＦＩＤリストバンドを提供することを課題とする。
【課題を解決するための手段】
【００１０】
すなわち本発明は、ＲＦＩＤタグを有するバンド本体部分にバンド用スリットを形成すること、このバンド用スリットにリストバンドとしてのバンド部を着脱可能に挿通することに着目したもので、第一の発明は、人体の四肢の少なくともいずれかひとつに巻き付けるとともに、その人体の個人情報を保持可能なリストバンドを構成するためのリストバンド用ＲＦＩＤシートであって、帯状のシート基材と、もろい部分を残した切込みを介してこのシート基材に形成するとともに、上記個人情報を保存可能なＲＦＩＤタグを有するバンド本体と、を有し、上記バンド本体には、上記リストバンドのバンド部を挿通するためのバンド用スリットを形成してあることを特徴とするリストバンド用ＲＦＩＤシートである。
【００１１】
上記バンド本体の表面に上記個人情報を印字可能とすることができる。
【００１２】
上記バンド本体は、上記ＲＦＩＤタグを有する第１の基材と、この第１の基材に積層するとともに上記個人情報を印字可能な第２の基材と、を有することができる。
【００１３】
第二の発明は、人体の四肢の少なくともいずれかひとつに巻き付けるとともに、その人体の個人情報を保持可能なＲＦＩＤリストバンドであって、上記個人情報を保存可能なＲＦＩＤタグを有するとともに、もろい部分を残した切込みを介して帯状のシート基材に形成したバンド本体と、このバンド本体に形成したバンド用スリットに挿通可能なバンド部と、を有し、上記ＲＦＩＤタグを再利用可能とすることを特徴とするＲＦＩＤリストバンドである。
【００１４】
当該リストバンド用ＲＦＩＤシートおよびＲＦＩＤリストバンドは、病院などにおける患者の特定のために使用することができることはもちろん、遊園地の入場券その他、個人の特定が必要な任意の場合に使用することができる。
【発明の効果】
【００１５】
本発明によるリストバンド用ＲＦＩＤシートおよびＲＦＩＤリストバンドにおいては、ＲＦＩＤタグを有するバンド本体部分にバンド用スリットを形成するようにしたので、このバンド用スリットにリストバンドとしてのバンド部を挿通し、バンド本体をいわゆるバックル状に着脱可能とすることにより、ＲＦＩＤタグ自体の再利用を可能とし、コストの低下および使用の融通性を拡大することができる。
【００１６】
とくに第一の発明によれば、シート基材に任意の枚数のバンド本体（ＲＦＩＤタグ）を準備することができ、任意の形態のプリンターに装填可能であり、電子化データの保持とともに、印字による目視可能な表示も可能である。
さらに、シート基材における切込みのもろい部分を破くことにより、シート基材から同一層内にあるそれぞれのバンド本体を取り出して容易にこれを形成することができ、リストバンド用ＲＦＩＤシート全体の構成を単純にして、その生産工程も簡略化することが可能である。
【００１７】
とくに第二の発明によれば、バンド用スリットに挿通しているバンド部を交換することにより、ＲＦＩＤタグのデータをそのままにして再利用する場合、あるいはデータを変更して再利用する場合など、ＲＦＩＤタグ部分の再利用の融通性を拡大可能である。
【発明を実施するための最良の形態】
【００１８】
本発明は、個人情報を保存可能なＲＦＩＤタグを有するバンド本体に、リストバンドのバンド部を挿通するためのバンド用スリットを形成したので、ＲＦＩＤタグ部分の再利用を可能とし、その構成がより単純でその生産工程を簡略化可能であるとともに、コストの低下を図ることができるリストバンド用ＲＦＩＤシートおよびＲＦＩＤリストバンドを実現した。
【実施例】
【００１９】
つぎに本発明の第１の実施例によるリストバンド用ＲＦＩＤシート１およびＲＦＩＤリストバンド１５を図１ないし図４にもとづき説明する。
図１は、リストバンド用ＲＦＩＤシート１の平面図、図２は、図１のＩＩ−ＩＩ線断面図（ただし、理解の弁のため厚さ方向を極端に厚く描いてある）であって、リストバンド用ＲＦＩＤシート１は、帯状のシート基材２と、シート基材２内に複数枚形成したバンド本体３と、を有する。
【００２０】
シート基材２は、任意の紙材料や合成樹脂材料などからなるシート状の帯状基材であって、バンド本体３部分と基本的には同一の積層構造を有し、これをロール状に巻いて任意のプリンター（図示せず）に装填し、その表面に所定情報を印字することができるものである。
シート基材２に切込み４を形成することにより、この切込み４の部分で上記バンド本体３を形成可能とする。
ただし、切込み４には、もろい部分４Ａを残してあり、リストバンド用ＲＦＩＤシート１の状態ではバンド本体３がシート基材２に一体化しており、シート基材２にバンド本体３を保持可能であるとともに、このもろい部分４Ａを破くことにより、バンド本体３をシート基材から分離可能としてある。
なお、切込み４としては、等間隔にもろい部分ないし切込みを形成した一般的なミシン目のような構成であってもよい。
なお、シート基材２の裏面側には、位置検出用マーク５をあらかじめ印刷してあり、上記任意のプリンターに装填して印字を行うときの位置検出に用いる。
【００２１】
バンド本体３は、電子化した個人情報を保存可能なＲＦＩＤタグ６を有するもので、とくに図２に示すように、裏側基材７と、表側基材８と、両層の間の接着剤層９により接着したＲＦＩＤインレット１０と、を有し、ＲＦＩＤインレット１０がＲＦＩＤタグ６をその内部に収容している。裏側基材７および表側基材８は、タグとしての十分な剛性を有する材料からこれを構成するとともに、とくに表側基材８は、その表面に印字可能な特性を有するものである。
さらに、バンド本体３では、ＲＦＩＤインレット１０の部位を避けて、左右一対のバンド用スリット１１を所定長さにわたって形成してある。このバンド用スリット１１は、バンド本体３を貫通してこれを形成している。
【００２２】
ＲＦＩＤタグ６は、所定の波長を有する電波により非接触でデータの書込みおよび読取りが可能なタグであって、図１に示すように、ＲＦＩＤタグ６は、ＩＣチップ１２と、アンテナ１３と、を有し、ＩＣチップ１２内に所定量のデータ（個人情報）を書き込んで保持可能であるとともに、このデータを読み取り可能である。
【００２３】
なお、バンド本体３における表側基材８の表面（印字領域１４）に所定の個人情報を目視可能な文字あるいはバーコードなどにより印字可能であるが、この個人情報は、ＩＣチップ１２内のデータに対応した固定情報あるいは可変情報である。
【００２４】
こうした構成のリストバンド用ＲＦＩＤシート１を用いてＲＦＩＤリストバンド１５を作成使用する場合を、図３および図４にもとづき説明する。
図３は、ＲＦＩＤリストバンド１５の平面図、図４は、シート基材２からバンド本体３を分離して取り出した状態を示す図２と同様の断面図であって、バンド本体３の左右一対のバンド用スリット１１に帯状のバンド部１６を挿通してバンド本体３と一体化するとともに、たとえば、バンド部１６に形成した複数個の固定用孔部１７のいずれかに固定具１８を挿通してその端部を固定具１８により固定することにより、人体の四肢の少なくともいずれかひとつ（たとえば手首Ｈ）に巻き付ける。
【００２５】
かくして、ＲＦＩＤリストバンド１５としての使用が可能であるとともに、患者の外泊時などには、バンド部１６の切断あるいは固定具１８の破壊などによりバンド部１６を取り外した場合に、バンド本体３の部分を保存しておいて、再来のときに新たなバンド部１６をバンド本体３のバンド用スリット１１に挿通してＲＦＩＤリストバンド１５として再生が可能である。
したがって、ＲＦＩＤタグ６付きのバンド本体３を無駄にすることなく、再生のコストもバンド部１６のみの分でよく、コストダウンが可能である。
もちろん、ＲＦＩＤタグ６におけるＩＣチップ１２のデータをすべて消去して、新たなＲＦＩＤタグ６として新しい個人情報を書き込むことも可能である。
【００２６】
なおリストバンド用ＲＦＩＤシート１は、上述のようなバンド本体３を帯状のシート基材２に複数枚形成した構成であるため、任意のプリンターに装填して印字領域１４に必要な個人情報を連続的に、かつ必要に応じて印字することができる。
また、シート基材２にバンド本体３を切込み４を介して形成するようにしたので、一般的なラベル基材のように台紙（ともに図示せず）などをラベル基材に仮着する工程を省略可能であって、生産工程を簡略化しつつ、台紙などの材料を削減することができ、材料コストおよび生産コストを低減可能である。
さらに、上記台紙およびラベル基材の仮着工程において、これらの基材を互いに押圧する必要があってＲＦＩＤタグ６に不良品が発生する可能性があるが、本発明では、この仮着工程を省略可能であるためにＲＦＩＤタグ６の不良品発生率を低下させることができる。
【００２７】
図５は、本発明の第２の実施例によるリストバンド用ＲＦＩＤシート２０の断面図であって、リストバンド用ＲＦＩＤシート２０は、前記帯状のシート基材２に相当する帯状のシート基材２１と、シート基材２１内に複数枚形成しているバンド本体２２と、を有する。
さらに、図１に示した第１２の実施例によるリストバンド用ＲＦＩＤシート１と同様に、前記もろい部分４Ａを残して形成した切込み４においてそれぞれのバンド本体２２をシート基材２１から分離可能としている。
【００２８】
シート基材２２（バンド本体２２）は、前記ＲＦＩＤタグ６を有する第１の基材２３と、この第１の基材２３に積層するとともに個人情報を印字可能な第２の基材２４と、を有する。
第１の基材２３は、図２に示した前記バンド本体３を有するシート基材２と事実上同様の構成であって、前述したように、裏側基材７と、表側基材８と、両層の間の接着剤層９により接着したＲＦＩＤインレット１０と、を有し、ＲＦＩＤインレット１０がＲＦＩＤタグ６をその内部に収容している。なお、第１の基材２３の最上層に剥離剤層２５を設けている。
第２の基材２４は、第１の基材２３の上層に仮着しているもので、最上層基材２６と、最上層基材２６の裏面側の接着剤層２７と、を有する。
最上層基材２６の表面に印字領域２８を設けて、個人情報（ＩＣチップ１２内のデータに対応した固定情報あるいは可変情報）を印字可能としている。
さらに、前述のリストバンド用ＲＦＩＤシート１（第１の実施例）と同様に、バンド本体２１を貫通して前記バンド用スリット１１を形成してある。
【００２９】
こうした構成のリストバンド用ＲＦＩＤシート２０においては、シート基材２１からバンド本体２２を切込み４において分離することにより、既述のバンド本体３と同様にして、ＲＦＩＤリストバンドを構成することができる。
ただし、ＲＦＩＤタグ６付きのバンド本体２２の再利用にあたって、第２の基材２４の部分を第１の基材２３から剥離するとともに、新たな第２の基材２４を第１の基材２３に貼り付けることによって印字領域２８の印字内容を変更可能であり、電子化データの変更ないし新たな書込みとともに、さらに再利用の態様がより広い、融通性を持たせたリストバンド用ＲＦＩＤシート２０とすることができる。
【図面の簡単な説明】
【００３０】
【図１】本発明の第１の実施例によるリストバンド用ＲＦＩＤシート１の平面図である。
【図２】同、図１のＩＩ−ＩＩ線断面図である。
【図３】同、ＲＦＩＤリストバンド１５の平面図である。
【図４】同、シート基材２からバンド本体３を分離して取り出した状態を示す図２と同様の断面図である。
【図５】本発明の第２の実施例によるリストバンド用ＲＦＩＤシート２０の断面図である。
【符号の説明】
【００３１】
１  リストバンド用ＲＦＩＤシート（第１の実施例、図１〜図４）
２  帯状のシート基材
３  バンド本体
４  切込み
４Ａ  切込み４のもろい部分
５  位置検出用マーク
６  ＲＦＩＤタグ
７  裏側基材
８  表側基材
９  接着剤層
１０  ＲＦＩＤインレット
１１  バンド用スリット
１２  ＩＣチップ
１３  アンテナ
１４  印字領域
１５  ＲＦＩＤリストバンド（図３、図４）
１６  バンド部
１７  固定用孔部
１８  固定具
２０  リストバンド用ＲＦＩＤシート（第２の実施例、図５）
２１  帯状のシート基材
２２  バンド本体
２３  第１の基材
２４  第２の基材
２５  剥離剤層
２６  最上層基材
２７  接着剤層
２８  印字領域
Ｈ    手首
【図１】
2008176745.tif 000003
【図２】
2008176745.tif 000004
【図３】
2008176745.tif 000005
【図４】
2008176745.tif 000006
【図５】
2008176745.tif 000007